(57)【要約】【課題】各台装置に未計数の遊技媒体が残留することの防止を課題とする。【解決手段】  台間メダル貸機１０は、遊技客の遊技媒体の計数開始操作を受け付けて計数処理を行う。加えて、台間メダル貸機１０は、遊技媒体の計数開始操作とは異なる所定のタイミングで計数機構を自動的に駆動させ、計数ユニット１９内に残留した可能性のある遊技媒体を計数する。具体的には、カード返却を伴う動作を行う場合、入金を受け付けた場合、システムから所定の指示を受け付けた場合等に計数を実行する。また、計数の開始条件に応じて計数結果の持メダルへの加算か計数結果の破棄を行う。このため、遊技客の持メダル口座の残高に加算すべきメダルが未計数のまま残留することを防止するとともに、遊技店内のメダルの管理を精度よく行うことが可能となる。【選択図】  図１
2015107175.tif 000002
【特許請求の範囲】
【請求項１】
遊技機に対応して設置され、遊技客により獲得された遊技媒体の数を計数処理する各台装置であって、
前記遊技客により獲得された遊技媒体の数を計数処理する計数処理手段と、
前記遊技客による計数開始操作を受け付けた場合に前記計数処理手段の駆動部を駆動させる第１の駆動制御手段と、
前記遊技客による計数開始操作の受け付けとは異なる所定の条件が成立した場合に前記計数処理手段の駆動部を駆動させる第２の駆動制御手段と
を備えたことを特徴とする各台装置。
【請求項２】
前記第２の駆動制御手段は、前記第１の駆動制御手段と同じ方向に駆動部の制御を行うことを特徴とする請求項１に記載の各台装置。
【請求項３】
前記第２の駆動制御手段は、前記遊技媒体の数を所定の記憶媒体の特定情報と上位の管理装置で関連付けて管理するための操作を受け付けた場合に、前記計数処理手段の駆動部を駆動させる
ことを特徴とする請求項１又は２に記載の各台装置。
【請求項４】
前記遊技媒体の払い出しに使用可能な有価価値を管理する有価価値管理手段をさらに備え、
前記第２の駆動制御手段は、前記有価価値管理手段が管理する有価価値が前記遊技媒体の払い出しに必要な最低値未満の所定の値となった場合に、前記計数処理手段の駆動部を駆動させることを特徴とする請求項１、２又は３に記載の各台装置。
【請求項５】
前記遊技機による遊技を前記遊技客に対して提供する営業時間の前に実施する開店処理、及び／又は前記営業時間の後に実施する閉店処理に関する指示を受け付ける開閉店指示受付手段をさらに備え、
前記第２の駆動制御手段は、前記開閉店指示受付手段が前記開店処理及び／又は前記閉店処理に関する指示を受け付けた場合に、前記計数処理手段の駆動部を駆動させる
ことを特徴とする請求項１〜４のいずれか一つに記載の各台装置。
【請求項６】
前記第２の駆動制御手段は、前記駆動部の駆動が開始してから第１の時間内に前記遊技媒体が検知されなかった場合に駆動を停止する第１の動作と、
前記駆動部の駆動が開始してから前記第１の時間よりも短い第２の時間内に前記遊技媒体が検知されなかった場合に駆動を停止する第２の動作とを選択的に実行可能であり、
前記第２の駆動制御手段は、複数の前記所定の条件のうち、いずれの条件が成立したかによって前記第１の動作と前記第２の動作のいずれかを実行する
ことを特徴とする請求項１〜５のいずれか一つに記載の各台装置。
【請求項７】
前記第２の動作を実行中に前記遊技媒体が検知された場合、前記第１の動作に移行することを特徴とする請求項６に記載の各台装置。
【請求項８】
前記第２の駆動制御手段は、複数の前記所定の条件のうち、いずれの条件が成立したかによって、前記計数処理手段により得られた計数値を前記遊技客の持遊技媒体数に加算するか、前記計数処理手段により得られた計数値を前記遊技客の持遊技媒体数に加算しないかを決定することを特徴とする請求項１〜７のいずれか一つに記載の各台装置。
【請求項９】
遊技機に対応して設置され、遊技客により獲得された遊技媒体の数を計数処理する各台装置を制御する各台装置制御方法であって、
前記遊技客による計数開始操作を受け付けたか否かを判定する計数操作受付判定ステップと、
前記遊技客による前記計数開始操作の受け付けとは異なる所定の条件の成立を判定する条件成立判定ステップと、
前記計数操作受付判定ステップにより前記計数開始操作を受け付けたと判定された場合、若しくは前記条件成立判定ステップにより前記所定の条件が成立したと判定した場合に、前記遊技媒体の計数処理を行う計数処理手段の駆動部を駆動させる駆動開始ステップと
を含んだことを特徴とする各台装置制御方法。
【発明の詳細な説明】
【技術分野】
【０００１】
この発明は、遊技機に対応して設置され、遊技客により獲得された遊技媒体の数を計数処理する各台装置及び各台装置制御方法に関する。
【背景技術】
【０００２】
従来、遊技店では、遊技玉を用いるパチンコ遊技機に併設した各台装置により遊技玉の貸出しを行っていた。また、パチンコ遊技機用の各台装置には、遊技によって獲得した遊技玉を計数する機能を持たせることが行われている（例えば特許文献１参照。）。
【０００３】
この遊技玉を用いるパチンコ遊技の他に、メダルを用いる遊技機（スロットマシン）も遊技店に設置されているが、最近、このメダルを用いる遊技機にも、台ごとに獲得メダルを計数する計数機が備えられつつある（例えば特許文献２参照。）。
【０００４】
かかる計数機は、遊技媒体の投入を検知した際に計数処理を開始し、遊技媒体を個別に搬送して、搬送路上に設けたセンサが遊技媒体を検知する度に計数値を加算する。そして、センサにより遊技媒体が検知されない時間が所定時間以上となった場合に、計数処理を終了する。
【先行技術文献】
【特許文献】
【０００５】
【特許文献１】特開２０１１−１５６１５５号公報
【特許文献２】特開２０１０−２２７３１５号公報
【発明の概要】
【発明が解決しようとする課題】
【０００６】
しかしながら、従来の技術では、投入された遊技媒体の一部が未計数のまま計数処理が終了してしまう場合があるという問題点があった。この点を具体的に説明する。投入された遊技媒体を搬送する際に、遊技媒体が搬送路上に適切に送られず、搬送の間隔が空く場合がある。搬送の間隔が空くと、その分、センサによる検知間隔も空くので、検知間隔が上記所定時間を超えると、計数処理が終了してしまい、搬送されなかった遊技媒体は未計数のまま残る事態となるのである。また、搬送路までの繰出部で遊技媒体が止まってしまう場合もある。この場合にも、センサによる検知間隔が上記所定時間を超えると、計数処理が終了してしまい、搬送されなかった遊技媒体は未計数のまま残る。すなわち、計数センサまで到達しない遊技媒体が存在し、その存在に誰も気付かなければ該遊技媒体が未計数状態となるのである。
【０００７】
このように未計数の遊技媒体が計数機内に残った状態で遊技客が遊技を終了して離席すると、遊技客は自らの獲得分として得られるはずであった遊技媒体数を未計数の分だけ失うこととなり、不当な不利益を被る。
【０００８】
これらのことから、未計数の遊技媒体が残った状態で遊技が終了する事態をいかにして防止するかが重要な課題となっていた。なお、未計数の遊技媒体が残留することは、遊技店が各遊技機での遊技状況を集計して管理する上で正確性を期すためにも重要である。
【０００９】
本発明は、上記従来技術の課題を解決するためになされたものであって、遊技機に対応して設置された各台装置内に未計数の遊技媒体が残留することを防止することのできる各台装置及び各台装置制御方法を提供することを目的とする。
【課題を解決するための手段】
【００１０】
本発明は、上記従来技術の課題を解決するためになされたものであって、遊技機に対応して設置され、遊技客により獲得された遊技媒体の数を計数処理する各台装置であって、前記遊技客により獲得された遊技媒体の数を計数処理する計数処理手段と、前記遊技客による計数開始操作を受け付けた場合に前記計数処理手段の駆動部を駆動させる第１の駆動制御手段と、前記遊技客による計数開始操作の受け付けとは異なる所定の条件が成立した場合に前記計数処理手段の駆動部を駆動させる第２の駆動制御手段とを備えたことを特徴とする。
【００１１】
また、本発明は、上記発明において、前記第２の駆動制御手段は、前記第１の駆動制御手段と同じ方向に駆動部の制御を行うことを特徴とする。
【００１２】
また、本発明は、上記発明において、前記第２の駆動制御手段は、前記遊技媒体の数を所定の記憶媒体の特定情報と上位の管理装置で関連付けて管理するための操作を受け付けた場合に、前記計数処理手段の駆動部を駆動させることを特徴とする。
【００１３】
また、本発明は、上記発明において、前記遊技媒体の払い出しに使用可能な有価価値を管理する有価価値管理手段をさらに備え、前記第２の駆動制御手段は、前記有価価値管理手段が管理する有価価値が前記遊技媒体の払い出しに必要な最低値未満の所定の値となった場合に、前記計数処理手段の駆動部を駆動させることを特徴とする。
【００１４】
また、本発明は、上記発明において、前記遊技機による遊技を前記遊技客に対して提供する営業時間の前に実施する開店処理、及び／又は前記営業時間の後に実施する閉店処理に関する指示を受け付ける開閉店指示受付手段をさらに備え、前記第２の駆動制御手段は、開閉店指示受付手段が前記開店処理及び／又は前記閉店処理に関する指示を受け付けた場合に、前記計数処理手段の駆動部を駆動させることを特徴とする。
【００１５】
また、本発明は、上記発明において、前記第２の駆動制御手段は、前記駆動部の駆動が開始してから第１の時間内に前記遊技媒体が検知されなかった場合に駆動を停止する第１の動作と、前記駆動部の駆動が開始してから前記第１の時間よりも短い第２の時間内に前記遊技媒体が検知されなかった場合に駆動を停止する第２の動作とを選択的に実行可能であり、前記第２の駆動制御手段は、複数の前記所定の条件のうち、いずれの条件が成立したかによって前記第1の動作と前記第２の動作のいずれかを実行することを特徴とする。
【００１６】
また、本発明は、上記発明において、前記第２の動作を実行中に前記遊技媒体が検知された場合、前記第１の動作に移行することを特徴とする。
【００１７】
また、本発明は、上記発明において、前記第２の駆動制御手段は、複数の前記所定の条件のうち、いずれの条件が成立したかによって、前記計数処理手段により得られた計数値を前記遊技客の持遊技媒体数に加算するか、前記計数処理手段により得られた計数値を前記遊技客の持遊技媒体数に加算しないかを決定することを特徴とする。
【００１８】
また、本発明は、遊技機に対応して設置され、遊技客により獲得された遊技媒体の数を計数処理する各台装置を制御する各台装置制御方法であって、前記遊技客による計数開始操作を受け付けたか否かを判定する計数操作受付判定ステップと、前記遊技客による前記計数開始操作の受け付けとは異なる所定の条件の成立を判定する条件成立判定ステップと、前記計数操作受付判定ステップにより前記計数開始操作を受け付けたと判定された場合、若しくは前記条件成立判定ステップにより前記所定の条件が成立したと判定した場合に、前記遊技媒体の計数処理を行う計数処理手段の駆動部を駆動させる駆動開始ステップとを含んだことを特徴とする。
【発明の効果】
【００１９】
本発明によれば、遊技客により獲得された遊技媒体の計数開始を受け付けるとともに、該計数開始の受け付けとは異なる所定の条件が成立した場合に、計数処理を行うように構成したので、各台装置に未計数の遊技媒体が残留することを防止することが可能となる。
【図面の簡単な説明】
【００２０】
【図１】図１は、本実施例に係る台間メダル貸機における計数処理方法の概念を説明するための説明図である。
【図２】図２は、本実施例に係る遊技システムのシステム構成を示す図である。
【図３】図３は、図２に示した台間メダル貸機及び遊技機の外観構成を示す図である。
【図４】図４は、図２に示した台間メダル貸機の計数ユニットの部分の分解斜視図及び側面図である。
【図５】図５は、図２に示した台間メダル貸機の計数ユニットのメダル計数用ホッパ内の構成を示す図である。
【図６】図６は、図２に示した台間メダル貸機の内部構成を示すブロック図である。
【図７】図７は、図２に示した台間メダル貸機の記憶部に記憶するデータのデータ構造の一例を示す図である。
【図８】図８は、図２に示した台間メダル貸機の計数動作モードについて説明するための説明図である。
【図９】図９は、図２に示した台間メダル貸機の計数動作の開始タイミングについて説明するための説明図である。
【図１０】図１０は、図２に示した台間メダル貸機のメダル計数処理手順を示すフローチャートである。
【図１１】図１１は、図１０に示したフローチャートの営業時間中における計数処理の処理手順を示すフローチャートである。
【図１２】図１２は、図１０に示したフローチャートの閉店処理における計数処理の処理手順を示すフローチャートである。
【図１３】図１３は、台間メダル貸機に搭載された搬送ベルト式の計数ユニットの断面構成図である。
【発明を実施するための形態】
【００２１】
以下に、添付図面を参照して、本発明に係る各台装置及び各台装置制御方法の好適な実施例を詳細に説明する。なお、本実施例では、遊技媒体をメダルとし、各台装置を台間メダル貸機として、本発明を適用した場合を示すこととし、ホッパ式の遊技媒体計数ユニットを搭載した場合について説明する。その後、変形例として搬送ベルト式の遊技媒体計数ユニットを搭載した場合について説明する。
【実施例】
【００２２】
まず、本実施例に係る台間メダル貸機における計数処理方法の概念について説明する。図１は、本実施例に係る台間メダル貸機における計数処理方法の概念について説明するための説明図である。図１に示すように、遊技店には遊技機２０と、遊技機２０に対応して設けられた台間メダル貸機１０とが設置される。
【００２３】
遊技客が獲得したメダルを計数して持メダルにする場合には、図１（ａ）に示すように、台間メダル貸機１０の下部にあるメダル投入口からメダルを投入して計数を行うことになる。投入されたメダルは、台間メダル貸機１０に内蔵された計数ユニットにおいて自動的に計数され、計数結果が持メダル残高に加算される。また、離席時には、遊技客が手動計数ボタンを押下して、メダルが全部計数され、計数ユニットにメダルがないことを確認してからカード返却を実施することが可能となっている。なお、メダル投入の場合であっても、自動的に計数を開始するのではなく、計数ボタンの押下操作を受け付けて計数を開始するようにしてもよい。
【００２４】
計数ユニット内において、検知センサによりメダルが検知されカウントされることになるが、一定時間メダルの検知がなければ、メダルの計数が終了したものとして計数ユニットは計数動作を停止する。このため、計数ユニット内に残留して計数されなかったメダルは、再びメダルを計数する機会が到来するまでそのまま残留状態となる。
【００２５】
ところが、遊技客は、少数ずつ頻繁にメダルを計数するのではなく、受け皿に数百枚程度貯まった段階でまとまった数のメダルを計数することが考えられる。この場合に、最後のメダル計数において計数ユニット内にメダルが残留したままの状態になっていても、この残留メダルに気付くことなく、遊技客が計数ボタンを押下せずにカードの返却操作を行い、退店若しくは景品交換を行う可能性もある。これでは遊技客にとって残留した分のメダルが損失となってしまう。
【００２６】
そこで本実施例に係る台間メダル貸機１０は、図１（ｂ）に示すように、メダルが投入されて自動的に計数される場合以外にも、所定の条件を満たした時に計数ユニットの計数機構を駆動して、計数ユニット内に残留しているメダルを自動的に計数する。そして、残留メダルの計数結果を持メダル残高に加算するようにしているのである。
【００２７】
具体的には、図１（ｂ）に示すように、台間メダル貸機１０は、カード返却操作を検知した場合に、計数機構を再駆動して残留メダルを計数する。これにより、計数ボタンを押下しなくても、残留メダルが持メダル残高に加算され、遊技客のメダルの損失を防止できることになる。また、同じくカード返却を伴う持メダル分割あるいは貯メダルを行うような場合も同様に再計数により遊技客のメダルの損失を防止できる。
【００２８】
なお、遊技店にとっては、メダルの集計情報を保護し、メダルの集計の正確性を期すために、閉店、開店、テストといったシステムの動作の変更時に、計数動作を行わせることが必要となる。例えば、開店前に遊技システムを立ち上げた際に、計数ユニット内に残留メダルがあるまま開店をすると、集計に誤差が出る可能性があるため、開店時に検知してはいけないメダルを排除する必要がある。また、閉店時には店内のメダルを集計するため、各台間メダル貸機１０の計数機構を駆動させ、残留メダルを計数して集計情報に組み入れる必要がある。
【００２９】
このように、台間メダル貸機１０は、遊技客により計数を指示する操作が行われた場合以外にも、必要に応じて適宜計数機構を駆動させることで、計数ユニット内の残留メダルを計数する。このため、遊技客の損失を防止するとともに、遊技店におけるメダルの集計情報の精度を向上することができる。
【００３０】
次に、本実施例に係る遊技システムのシステム構成について説明する。図２は、本実施例に係る遊技システムのシステム構成を示す図である。図２に示すように、遊技店には、複数の遊技機２０と、各遊技機２０にそれぞれ対応して設けられた台間メダル貸機１０とが設置される。台間メダル貸機１０は、島コントローラ３０を介して店内のネットワークである通信回線と接続する。通信回線には、島コントローラ３０と、カード管理装置４０と、会員管理装置５０と、景品管理装置６０と、精算機８０とが接続される。
【００３１】
遊技機２０は、遊技媒体であるメダルを投入して、３個のドラムを回転させるとともに、ストップボタンを順次押して絵柄を揃えることにより遊技を行うスロットマシンである。３つのドラムの有効ラインに一定の絵柄が揃うと、遊技機２０は、絵柄の種類に応じた枚数のメダルを賞出メダルとして払い出す。
【００３２】
台間メダル貸機１０は、入金の受付、メダルの貸し出し並びにカード管理装置４０との通信を行う。台間メダル貸機１０は、遊技客が挿入した紙幣を受け付けたならば、入金確定前にメダルの計数機構を駆動し、計数ユニット内に残留メダルの存否を検知し、残留メダルを検知した場合には計数してメダルの計数結果を持メダル残高に加算する。そして一定数以上のメダルが計数された場合には紙幣を返却し、持メダルの使用を促す。残留メダルが一定数未満の場合にはメダルの計数結果を持メダル残高に加算するとともに、入金額を含む入金通知をカード管理装置４０に送信することで、プリペイド価値をカード管理装置４０が管理するプリペイド価値に加算させる。
【００３３】
また、台間メダル貸機１０は、所定のメダル貸操作がなされたならば、メダル貸要求をカード管理装置４０に送信し、カード管理装置４０が管理するプリペイド価値を減算させて、減算したプリペイド価値分に対応する数のメダルを払い出す。
【００３４】
また、台間メダル貸機１０は、カードの挿入を受け付けたならば、カード管理装置４０にカード挿入通知を送信する。また、台間メダル貸機１０は、カード管理装置４０からプリペイド価値、持メダル口座又は貯メダル口座の残高を受信した場合には、該残高を記憶する。そして、持メダル口座の残高を受信し、持メダル数として記憶した場合には、カード管理装置４０に対して持メダル減算要求を送信することで、カード管理装置４０が管理する持メダル口座の残高をゼロにクリアする。
【００３５】
また、台間メダル貸機１０は、持メダル再プレイ操作を受け付けると、自装置に記憶する持メダル数を所定数減算し、減算した数に相当する数のメダルを払い出す。また、台間メダル貸機１０は、貯メダル再プレイ操作を受け付けると、カード管理装置４０に対して貯メダル再プレイ要求を送信することで、会員管理装置５０が管理する貯メダル口座の残高を所定数減算させ、減算させた数に相当する数のメダルを払い出す。
【００３６】
台間メダル貸機１０は、カード返却操作を受け付けたならば、まず、計数ユニットを駆動してメダルの計数動作を開始する。そして計数ユニット内の残留メダルの検知を行い、メダルを検知した場合にはメダルを計数して、持メダル数に加算する。その後、自装置に記憶する持メダル数を含む持メダル加算要求をカード管理装置４０に送信し、カード管理装置４０が管理する該当する持メダル口座に持メダル数を加算させた後、カード排出通知をカード管理装置４０に送信し、カードを排出制御する。
【００３７】
また、台間メダル貸機１０は、遊技客の一般カードのプリペイド価値及び持メダル数が０になった時点で、計数機構を駆動させ、計数ユニット内の残留メダルの検知及び計数を行う。メダルが計数された場合にはその枚数を持メダル残高に加算する。
【００３８】
また、台間メダル貸機１０は、上記の計数動作以外で、所定のコマンドを受信した場合、若しくは所定の操作を受け付けた場合にも、計数機構を駆動させて計数動作を行い、コマンド若しくは操作種別に応じて計数したメダル数を持メダルへ加算するか又は廃棄する。
【００３９】
島コントローラ３０は、遊技島に設けられた一群の遊技機２０及び台間メダル貸機１０を束ねる中継装置である。カード管理装置４０は、カードのプリペイド価値及び持メダル数等をカードデータとして管理する管理装置である。
【００４０】
カード管理装置４０は、台間メダル貸機１０からカード挿入通知を受信したならば、挿入されたカードのＩＤと台間メダル貸機１０とを関連づけて管理し、該カードＩＤに関連づけられたプリペイド価値及び持メダル口座の残高を台間メダル貸機１０に送信する。また、カード挿入通知に示されたカードＩＤが会員カードのカードＩＤである場合には、カード挿入通知を会員管理装置５０に送信し、会員管理装置５０から受信した貯メダル再プレイデータを台間メダル貸機１０に送信する。
【００４１】
また、カード管理装置４０は、台間メダル貸機１０から持メダル減算要求を受信した場合には、持メダル口座の残高をゼロにクリアし、台間メダル貸機１０から持メダル加算要求を受信した場合には、持メダル加算要求に示された持メダル数を持メダル口座に加算する。
【００４２】
また、カード管理装置４０は、台間メダル貸機１０からメダル貸要求を受信した場合には、対応するプリペイド価値を所定値減算し、メダル貸許可を台間メダル貸機１０に送信する。そして、貯メダル再プレイ要求を受信した場合には、該貯メダル再プレイ要求を会員管理装置５０に送信し、会員管理装置５０が貯メダル再プレイ許可を出力した場合には、貯メダル再プレイ許可を台間メダル貸機１０に送信する。
【００４３】
また、カード管理装置４０は、景品管理装置６０からカードＩＤを受信したならば、このカードＩＤに関連付けられた持メダル口座の残高を景品管理装置６０に対して通知する。さらに、精算機８０からカードＩＤを受信したならば、このカードＩＤに関連付けられたプリペイド価値を精算機８０に対して通知する。
【００４４】
会員管理装置５０は、遊技店に会員登録された会員の会員管理データを管理する管理装置である。具体的には、会員に対して発行した会員カードＩＤに関連づけて、貯メダル数、ポイント、暗証番号及び氏名等を管理する。
【００４５】
会員管理装置５０は、カード管理装置４０から貯メダル口座の残高の問い合わせを受けたならば、指定されたカードＩＤに対応する貯メダル口座の残高をカード管理装置４０に通知する。また、会員管理装置５０は、カード管理装置４０を介して貯メダル再プレイ要求を受信したならば、貯メダル再プレイ要求に示されたカードＩＤに関連付けられた貯メダル口座の残高を所定数減算し、貯メダル再プレイ許可を出力する。
【００４６】
また、会員管理装置５０は、景品管理装置６０から貯メダル口座の残高の問い合わせを受けたならば、指定されたカードＩＤに対応する貯メダル口座の残高を景品管理装置６０に通知する。
【００４７】
景品管理装置６０は、遊技店内の景品交換カウンタに併設された景品交換用の端末装置であり、獲得メダル、貯メダル及び持メダルの景品交換処理を行う。この景品管理装置６０には、カードのカードＩＤを読み取るリーダライタ及び景品を払い出す景品払出装置が接続されている。景品管理装置６０は、リーダライタがカードを受け付けた場合には、リーダライタで読み出したカードのカードＩＤをカード管理装置４０に送信して、該カードの持メダル口座残高を要求する。また、貯メダルを景品交換する場合は、会員管理装置５０に対して貯メダル口座残高を要求する。
【００４８】
精算機８０は、プリペイド価値が対応付けられたカードが挿入されると、このカードのカードＩＤをカード管理装置４０に送信し、該カードに関連付けられたプリペイド価値を取得し、取得したプリペイド価値に相当する現金の払出を行う。
【００４９】
図２に示した台間メダル貸機１０がメダル貸しを行う場合のメダル貸処理について説明する。遊技客が台間メダル貸機１０に対してメダル貸操作を行うと、台間メダル貸機１０は、カード管理装置４０のローカルアドレスを宛先として指定した電文を送信する。この電文は、台間メダル貸機１０に挿入されているカードのカードＩＤと、送信元である台間メダル貸機１０を特定するアドレス若しくは任意の識別情報と、メダル貸要求とを含む。
【００５０】
カード管理装置４０は、メダル貸要求を含む電文を受信すると、該電文内のカードＩＤに関連付けられたプリペイド価値を所定値（例えば、１００円）減算してカード管理データを更新し、メダル貸許可を送信元の台間メダル貸機１０に送信する。メダル貸許可を受信した台間メダル貸機１０は、減算したプリペイド価値に対応する数（例えば５枚）のメダルを払い出す。
【００５１】
次に、図２に示したシステムで持メダルの再プレイを行う場合の持メダル再プレイ処理について説明する。台間メダル貸機１０は、一般カードあるいは会員カードの挿入を受け付けた場合に、カード管理装置４０のローカルアドレスを宛先として指定した電文を送信する。この電文は、台間メダル貸機１０に挿入されているカードのカードＩＤと、送信元である台間メダル貸機１０を特定するアドレス若しくは任意の識別情報と、台間メダル貸機１０のレートを特定するための情報と、カード挿入通知とを含む。
【００５２】
カード管理装置４０は、台間メダル貸機１０からカード挿入通知を受信した場合には、該電文内のカードＩＤに関連付けられた各レートの持メダル口座の残高を台間メダル貸機１０に通知する。
【００５３】
台間メダル貸機１０は、カード管理装置４０から受信した持メダルの残高を記憶する。そして、カードＩＤ及びレートを特定する情報と、持メダル減算要求とを含む電文をカード管理装置４０に送信する。カード管理装置４０は、持メダル減算要求を受信した場合には、カードＩＤにより特定される各レートの持メダル口座の残高をゼロにクリアする。台間メダル貸機１０は、持メダル再プレイ操作を受け付けた場合には、記憶した持メダルの残高を所定数減算し、対応する数のメダルを払い出す。
【００５４】
台間メダル貸機１０は、カード返却操作を受け付けた場合には、カード管理装置４０に対して持メダル加算要求を含む電文を送信する。この電文は、排出するカードのカードＩＤと、送信元である台間メダル貸機１０を特定するアドレス若しくは任意の識別情報と、台間メダル貸機１０のレートを特定するための情報と、各レートの持メダルの残高と持メダル加算要求とを含む。
【００５５】
カード管理装置４０は、持メダル加算要求を受け付けた場合には、該電文内のカードＩＤに関連付けられた各レートの持メダル口座の残高を受信した残高の値に更新する。その後、台間メダル貸機１０は、カード管理装置４０にカード排出通知を送信し、カードを排出制御する。
【００５６】
次に、図２に示したシステムで貯メダルの再プレイを行う場合の貯メダル再プレイ処理について説明する。台間メダル貸機１０は、会員カードが挿入された場合、若しくは会員カードとして使用可能な携帯端末からカードＩＤに対応する識別情報を読み取った場合に、カード管理装置４０のローカルアドレスを宛先として指定した電文を送信する。この電文は、台間メダル貸機１０に挿入されているカードのカードＩＤ（若しくは携帯端末から読み取ったカードＩＤに対応する識別情報。以降、カードＩＤという）と、送信元である台間メダル貸機１０を特定するアドレス若しくは任意の識別情報と、台間メダル貸機１０のレートを特定するための情報と、カード挿入通知とを含む。
【００５７】
カード管理装置４０は、カード挿入通知の電文を会員管理装置５０に送信する。会員管理装置５０は、カード挿入通知の電文を受信した場合には、該電文内のカードＩＤに関連付けられた暗証番号と、貯メダル口座のうち、該電文により特定されたレートの貯メダル口座の残高とを含む貯メダル再プレイデータを台間メダル貸機１０に送信する。
【００５８】
台間メダル貸機１０は、受信した貯メダル再プレイデータを記憶し、貯メダル再プレイデータに示された貯メダル口座の残高が貯メダル再プレイにおけるメダルの払出単位数（貯メダル再プレイ単位数。例えば２５枚）以上である場合には貯メダル再プレイ操作を受け付け可能とする。なお、ここでは、貯メダル口座の残高が払出単位数以上である場合に貯メダル再プレイ操作を受け付け可能とする場合について説明を行なったが、貯メダル再プレイデータに貯メダル再プレイ可能回数が示されているならば、貯メダル再プレイ可能回数が１以上である場合に貯メダル再プレイ操作を受け付け可能としてもよい。
【００５９】
台間メダル貸機１０は、貯メダル再プレイデータの記憶後、最初に貯メダル再プレイ操作を受け付けた場合に、遊技客に対して暗証番号の入力を求め、入力された暗証番号が貯メダル再プレイデータに示された暗証番号と一致するかを確認する。
【００６０】
台間メダル貸機１０は、暗証番号が一致した場合に、カード管理装置４０のローカルアドレスを宛先として指定した電文を送信する。この電文は、台間メダル貸機１０に挿入されているカードのカードＩＤと、送信元である台間メダル貸機１０を特定するアドレス若しくは任意の識別情報と、台間メダル貸機１０のレートを特定するための情報と、貯メダル再プレイ要求とを含む。なお、ここでは最初に貯メダル再プレイ操作を受付けた場合に暗証番号の入力を求める場合を示したが、暗証番号の入力はカード挿入時に行うようにしてもよい。
【００６１】
カード管理装置４０は、貯メダル再プレイ要求の電文を会員管理装置５０に送信する。会員管理装置５０は、貯メダル再プレイ要求の電文を受信した場合には、該電文内のカードＩＤに関連付けられた貯メダル口座のうち、該電文により特定されたレートの貯メダル口座の残高を所定値減算し、減算後の残高を含む貯メダル再プレイデータを台間メダル貸機１０に送信する。
【００６２】
台間メダル貸機１０は、貯メダル再プレイデータを受信して貯メダル口座の残高を更新し、メダルを貯メダル再プレイ単位数だけ払い出す。また、更新後の貯メダル口座の残高が貯メダル再プレイ単位数未満となったかを判定し、貯メダル再プレイ単位数未満となったならば、貯メダル再プレイ操作を受け付け不能とする。更新後の貯メダル口座の残高が貯メダル再プレイ単位数以上であれば、再度貯メダル再プレイ操作を受け付け可能であり、貯メダル再プレイ操作を受け付けた場合には貯メダル再プレイ要求を送信する。２回目以降の貯メダル再プレイ操作では、暗証番号の確認は不要である。なお、暗証番号の確認を毎回行なうように設定してもよい。
【００６３】
次に、閉店処理における持メダルからの貯メダルへの移行について説明する。カード管理装置４０は、閉店処理時にカード管理データの持メダル口座の残高を確認し、持メダルの残高が「０」より大きい持メダル口座が存在する場合には、該持メダル口座の残高をカードＩＤ及びレートとともに会員管理装置５０に通知する。会員管理装置５０は、カードＩＤ及びレートにより特定される貯メダル口座の残高に通知された持メダル口座残高を加算して更新する。その後、カード管理装置４０は、該持メダル口座の残高をゼロにクリアする。
【００６４】
次に、図２に示した遊技機２０及び台間メダル貸機１０の外観構成について説明する。図３は、図２に示した遊技機２０及び台間メダル貸機１０の外観構成を示す図である。なお、紙幣のみを受け付ける台間メダル貸機１０を図示したが、硬貨受付用ユニットを設けることもできる。また、紙幣挿入口は台間メダル貸機１０と別体であってもよい。
【００６５】
図３に示すように、遊技機２０は、３つのドラムを有するドラム部２１と、各種表示を行う表示部２２と、メダル投入口２３と、ドラムの回転開始操作を受け付けるスタートレバーやドラムに対応して設けられた３つのストップボタン等を有する操作部２４と、遊技機２０から払い出されたメダルを受け入れる受け皿２５とを有する。
【００６６】
台間メダル貸機１０は、台間メダル貸機１０の装置状態を所定色のランプの点灯あるいは点滅で表示する状態表示部１１と、メダルを貸し出す際の各種紙幣を受け付ける紙幣挿入口１２ａと、タッチパネルディスプレイ等の表示操作部１３と、カードを受け付けるカード挿入口１４ａと、携帯端末等をかざすためのかざし部１４ｂと、メダルを遊技機２０に搬出するノズル１８ａと、計数対象のメダルの投入を受け付けるメダル投入口１９ａとを有する。
【００６７】
次に、台間メダル貸機１０に内蔵される計数ユニット１９について説明する。図４（ａ）及び（ｂ）は、台間メダル貸機１０に内蔵された計数ユニット１９の分解斜視図及び側面図である。図４に示すように、計数ユニット１９は、同じく台間メダル貸機１０に内蔵されるメダル払出装置９０の下方に位置し、台間カード処理機１０の下部を占める形で搭載されている。また、遊技客が計数するメダルを投入するメダル投入口１９ａは、ノズル１８ａの上方において台間メダル貸機の前面から突出して設けられている。
【００６８】
計数ユニット１９の構成について図４及び図５を用いて説明する。メダル投入口１９ａからメダルを下方に搬送する搬送部１９ｂと、搬送部１９ｂから搬送されたメダルを内部に貯留するメダル計数用ホッパ１９ｃとを有している。図４（ａ）及び図（ｂ）に示すように、すり鉢状のメダル投入口１９ａの下部開口から搬送部１９ｂと、搬送部１９ｂの底面１９ｂ１とメダル計数用ホッパ１９ｃの傾斜部１９ｃ１及びメダル計数ホッパ１９ｃ内貯留領域まで連通する構成になっている。また、メダル計数用ホッパ１９ｃは、メダル払出ホッパ９１が逆すり鉢型なのに対し、ほぼ円筒の形状になっている。
【００６９】
図５は、メダル計数用ホッパ１９ｃ内の構成を示した図である。図５に示すように、メダル計数用ホッパ１９ｃの底部には、メダルを１枚ずつ収容する一又は複数（図５（ａ）に示す例では５つ）の孔部１９ｄ１が周方向に沿って設けられた回転円盤１９ｄが略水平面に沿って設けられている。回転円盤１９ｄは、円盤の中心を回転軸として反時計方向に回転するようになっている。また、メダル計数用ホッパ１９ｃの貯留領域内において、回転円盤１９ｄよりも上方にあるメダルを検知する第１のメダル検知センサ１９ｅ及び第２のメダル検知センサ１９ｆを有している。さらに、図示しないが、図４（ｂ）において回転円盤の手前側（左側）で、メダル計数ホッパ１９ｃの傾斜部１９ｃ１の下部には回転円盤１９ｄの回転駆動を行う回転円盤駆動モータが設けられている。
【００７０】
次に、計数ユニット１９の計数機構について説明する。遊技客が遊技機２０の受皿に貯まったメダルを取り出して、メダル投入口１９ａに投入する。投入されたメダルは、搬送部１９ｂの通路から、水平面に対して傾斜した搬送部の底面１９ｂ１と、これに連接した同じく水平面に対して傾斜した傾斜部１９ｃ１を介してメダル計数用ホッパ１９ｃに送られる。メダル計数用ホッパ１９ｃに送られたメダルは、傾斜部１９ｃ１から開口１９ｃ２を介してメダル計数用ホッパ１９ｃ内のメダル貯留領域に送られる。
【００７１】
図５に示すように、メダル計数用ホッパ１９ｃ内の貯留領域にメダルが送られると、貯留領域内において回転円盤１９ｄよりも上方にあるメダルが、それぞれ発光素子と受光素子を有した第１のメダル検知センサ１９ｅや第２のメダル検知センサ１９ｆにより検出されると、図示しない円盤駆動モータが回転円盤１９ｄを回転駆動させる。なお、発光素子から発せられた光がメダルにより遮光されて受光素子により受光されなくなることで、各メダル検知センサ１９ｅ、１９ｆはメダルの存在を検知する。
【００７２】
そして、回転円盤１９ｄの孔部１９ｄ１に収容されたメダルは１枚ずつ図示しないガイド部により案内され、回転円盤１９ｄの外周縁におけるガイド部が設けられていない箇所において、孔部１９ｄ１から１枚ずつ繰出されたメダルが計数される。計数されたメダルは、図４におけるメダル計数ユニット１９の後方にさらに繰出され、図示しないメダル回収装置により島端等に設置されているメダル回収部に搬送され回収される。
【００７３】
また、各メダル検知センサ１９ｅ、１９ｆによりメダルが検知されていない状態で、計数部により所定時間メダルの計数が行われない場合には、メダル計数ユニット１９において正常にメダルの計数が完了したと判断され、回転円盤の回転駆動が停止される。
【００７４】
次に計数ユニット１９のエラー解除について説明する。台間メダル貸機１０のメダルが詰まるエラーが発生した場合に、店員は、メダル投入口１９ａの上部にある下部扉を取り外し、メダル投入口１９ａや回転円盤１９ｄを引き出してエラー解除を行い、メダルの詰まりを解消する。メダルの詰まり解消後は、前記の逆順で復帰させる。
【００７５】
次に、図２に示した台間メダル貸機１０の内部構成について説明する。図６は、図２に示した台間メダル貸機１０の内部構成を示すブロック図である。図６に示すように、台間メダル貸機１０は、紙幣搬送部１２と、表示操作部１３と、リーダライタ１４と、かざし部１４ｂと、通信部１５と、記憶部１６と、制御部１７と、ノズルユニット１８と、計数ユニット１９とを有する。
【００７６】
紙幣搬送部１２は、紙幣挿入口１２ａから挿入された紙幣の金種及び真偽を判別しつつ図示しない紙幣収納部に搬送する搬送部である。表示操作部１３は、メダル貸操作及び遊技客向けのメッセージ表示を行うためのタッチパネル式の入出力装置である。
【００７７】
リーダライタ１４は、カード挿入口１４ａに挿入されたカードからカードＩＤを読取る読取部である。なお、カード挿入口１４ａに挿入されたカードは、このリーダライタ１４を経て図示しないカード収納部に収納される。通信部１５は、通信回線との間のデータ通信を行うためのインタフェース部である。
【００７８】
記憶部１６は、ハードディスク装置や不揮発性メモリ等からなる記憶デバイスである。記憶部１６は、カードＩＤ１６ａ、有価価値データ１６ｂ、計数データ１６ｃおよび装置ＩＤ１６ｄを記憶する。
【００７９】
カードＩＤ１６ａは、リーダライタ１４により読み取られたカードＩＤである。図示しないカード収納部からリーダライタ１４にカードが搬送された場合には、リーダライタ１４により読み取られたカードＩＤによってカードＩＤ１６ａが更新される。また、カード挿入口１４ａから図示しないカード収納部にカードが搬送される場合にも、この搬送途中でリーダライタ１４により読み取られたカードＩＤによってカードＩＤ１６ａが更新される。
【００８０】
有価価値データ１６ｂは、遊技媒体の払い出しを受けるために使用可能な有価価値を示すデータである。この有価価値には、メダル貸しに使用可能なプリペイド価値の残高、持メダル口座の残高並びに貯メダル口座の残高を含む。
【００８１】
計数データ１６ｃは、計数されたメダルの枚数を記憶したデータである。また、装置ＩＤ１６ｄは、台間メダル貸機１０のＩＤである。
【００８２】
制御部１７は、台間メダル貸機１０を全体制御する制御部であり、データ管理部１７ａ、紙幣処理部１７ｂ、カード処理部１７ｃ、状態管理部１７ｄ、計数制御部１７ｅ及び計数データ送信部１７ｆを有する。
【００８３】
データ管理部１７ａは、カードが挿入された場合に、カードＩＤ１６ａ及び装置ＩＤを含むカード挿入通知をカード管理装置４０に送信する。また、データ管理部１７ａは、カード管理装置４０から有価価値（プリペイド価値、持メダル及び貯メダルの少なくともいずれか）を受信した場合に、受信した有価価値により有価価値データ１６ｂを更新する。データ管理部１７ａは、有価価値データ１６ｂに示されたプリペイド価値、持メダル数及び貯メダル数を適宜表示操作部１３に表示制御する。
【００８４】
また、データ管理部１７ａは、遊技客によりメダル貸操作が行われた場合に、カードＩＤ１６ａ及び装置ＩＤ１６ｄを含むメダル貸要求をカード管理装置４０に送信する。このメダル貸要求への応答としてメダル貸許可を受信したならば、データ管理部１７ａは、所定数のメダルを払い出す。
【００８５】
また、データ管理部１７ａは、遊技客により持メダル再プレイ操作が行われた場合に、有価価値データ１６ｂに示された持メダル口座の残高を所定数減算し、対応する数のメダルを払い出す。
【００８６】
また、データ管理部１７ａは、遊技客により貯メダル再プレイ操作が行われた場合に、カードＩＤ１６ａ及び装置ＩＤ１６ｄを含む貯メダル再プレイ要求をカード管理装置４０に送信する。この貯メダル再プレイ要求への応答として貯メダル再プレイ許可を受信したならば、データ管理部１７ａは、所定数のメダルを払い出す。
【００８７】
また、データ管理部１７ａは、遊技客によりカード返却操作が行われた場合に、計数制御部１７ｅに計数ユニット１９を駆動させて残留メダルを計数させる。その後、カードＩＤ１６ａ、装置ＩＤ１６ｄ並びに持メダル数を含む持メダル加算要求をカード管理装置４０に送信して、自装置持メダル口座の残高をゼロにクリアする。
【００８８】
また、データ管理部１７ａは、紙幣挿入口１２ａに紙幣が挿入されると、挿入された紙幣の金額、カードＩＤ１６ａ及び装置ＩＤ１６ｄを含む入金通知をカード管理装置４０に送信する。
【００８９】
紙幣処理部１７ｂは、紙幣挿入口１２ａから受け付けた紙幣を搬送制御しつつ該紙幣の金種種別及び真偽識別を行った後に、該紙幣を図示しない紙幣収納部に収納する処理部である。紙幣処理部１７ｂは、紙幣の挿入を検知すると、入金を確定して紙幣収納部に収納する前に、計数制御部１７ｅに計数ユニット１９を駆動させて残留メダルを計数させる。
【００９０】
そして、紙幣処理部１７ｂは、計数制御部１７ｅから一定数以上のメダル計数があったことを通知された場合には、挿入された紙幣を紙幣挿入口１２ａから返却する処理を行う。なお、ここで表示操作部１３に計数したメダルの枚数と、その使用を促すメッセージを表示してもよい。
【００９１】
カード処理部１７ｃは、カード挿入口１４ａからカードを受け付けたならばリーダライタ１４によりカードＩＤ１６ａ及びプリペイド価値を読み取らせる。そして、このカードＩＤ１６ａを記憶部１６に格納し、カードＩＤ１６ａに関連付けられたプリペイド価値を有価価値データ１６ｂのプリペイド価値に加算する。
【００９２】
また、カード処理部１７ｃは、カードの返却操作を受け付けた場合には、図示しないカード収納部に収納したカードのカードＩＤ１６ａをリーダライタ１４により読み取らせ、データ管理部１７ａによりカード管理装置４０のカードデータが更新された後に、プリペイド価値をカードに関連付けてカード挿入口１４ａからカードを排出する。
【００９３】
状態管理部１７ｄは、システムモード及びシステムモードの変化を検知して、台間メダル貸機１０の動作状態を監視する管理部である。状態管理部１７ｄは、上位装置からシステムの動作状態に関するコマンド等の情報を受信した場合には、計数制御部１７ｅに対してシステムの動作モード及びモード変化を通知する。また、状態管理部１７ｄは、装置の異常状態をカード管理装置４０に送信する。
【００９４】
計数制御部１７ｅは、計数ユニット１９の計数動作を制御する制御部である。計数制御部１７ｅは、所定のタイミングで、後述する計数動作モードにより計数ユニット１９の駆動部を駆動し、メダルの計数を行うように計数ユニット１９に指示を出す。また、計数ユニット１９が計数したメダル枚数は、後述する計数動作モードに応じて持メダルへ加算するか若しくは加算しない。メダルの計数値を持メダルへ加算する場合には、計数制御部１７ｅは、有価価値データ１６ｂの持メダル残高に計数したメダル枚数を加算する。
【００９５】
計数データ送信部１７ｆは、計数データ１６ｃをカード管理装置４０に送信する。計数データ送信部１７ｆは、遊技システムがテストモード及び開店から閉店へとモード変化した場合に、計数データ１６ｃに記憶していたメダルの計数結果をカード管理装置４０に送信する。計数データ送信部１７ｆはカード管理装置４０への送信終了後に、計数データ１６ｃをクリアする。
【００９６】
次に、台間メダル貸機１０の記憶部１６が記憶するデータの具体例について説明する。図７は、台間メダル貸機１０の記憶部１６に記憶する各種データのデータ構造の一例を示す図である。
【００９７】
図７（ａ）に示すカードＩＤ１６ａは、台間メダル貸機１０に挿入されたカードのＩＤが「１００１」であることを示している。なお、ここでは、カードＩＤの上１桁がカードの種別を示しており、上１桁が「１」のカードが一般カード、上１桁が「２」のカードが会員カードであるとしている。
【００９８】
図７（ｂ）に示す有価価値データ１６ｂは、カードＩＤが「１００１」の遊技客のプリペイド価値が「１０」度数、レートを特定するための情報が「Ｍ１」である持メダル口座の残高が「５００」枚であり、レートを特定するための情報が「Ｍ２」である持メダル口座の残高が「０」枚であり、レートを特定するための情報が「Ｍ３」である持メダル口座の残高が「０」枚であることを示している。データ管理部１７ａは、一般カードのプリペイド価値及び持ちメダル口座残高を管理し、その全ての値が０になると計数機構を駆動させる。
【００９９】
また、図７（ｂ）では、一般カードが挿入された状態であるため、貯メダル口座の残高は全て「０」である。なお、ここではプリペイド価値の度数は１度数が１００円相当である。また、レートを特定するための情報「Ｍ１」は、１枚２０円で貸し出されるメダルに対応し、レートを特定するための情報「Ｍ２」は１枚１０円で貸し出されるメダルに対応し、レートを特定するための情報「Ｍ３」は、１枚５円で貸し出されるメダルに対応する。図７（ｃ）は、台間メダル貸機１０の装置ＩＤ１６ｄが「５００６」であることを示している。
【０１００】
次に、台間メダル貸機１０の計数動作モードについて説明する。図８は、台間メダル貸機１０の計数動作モードを説明するための説明図である。図８に示すように、台間メダル貸機１０の計数動作モードは、計数のための計数ユニット１９の駆動時間と、計数値の取り扱いとに応じて、第一計数動作から第四計数動作までの４つに分類される。台間メダル貸機１０の計数制御部１７ｅは、計数動作の開始条件、すなわちどのタイミングで計数動作を行うかの種別に応じて、これら４つの計数動作モードを選択して計数制御する。
【０１０１】
駆動時間「通常」と駆動時間「簡易」は、計数ユニット１９の回転円盤の駆動を開始してから計数機構の駆動を終了するまでの時間が異なる。メダルの投入あるいは計数ボタンを押下した場合のように、計数対象となるメダルの存在が確実である場合には、駆動時間「通常」が用いられる。一方、カード返却操作を受け付けた場合のように、計数対象となるメダルが存在するか否か不明である場合には、駆動時間「通常」よりも計数機構の駆動を終了するまでの時間が短い駆動時間「簡易」が用いられる。駆動時間「簡易」は、「通常」よりも早いタイミングでメダルなしを判定するため駆動時間が短く、メダルがない場合の処理が速いため、主に投入検知できなかったメダルがないかの確認に使用される。ただし、駆動時間「簡易」の場合でも、メダルが検知された場合には駆動時間「通常」に移行するように駆動制御される。
【０１０２】
なお、駆動時間「簡易」から駆動時間「通常」に移行する場合には、計数ユニット１９の回転円盤１９ｄの駆動は、駆動時間「簡易」と同じ方向にホッパ回転（正回転）するように計数ユニット１９が駆動制御する。
【０１０３】
第一計数動作は、駆動時間「通常」であり、計数値の取り扱いを「持メダルへの加算」とする動作モードである。この動作モードは、メダルを計数して持メダルとするために、実際にメダル投入口１９ａからメダルが投入されることを前提としている。
【０１０４】
第二計数動作は、駆動時間「通常」であり、計数値の取り扱いを「破棄」とする動作モードである。この第二計数動作では、メダルの計数結果は持メダルに加算されずに破棄される。
【０１０５】
第三計数動作は、駆動時間「簡易」であり、計数値の取り扱いを「持メダルへの加算」とする動作モードである。第三計数動作により計数を行った結果、メダルが検知されたならば、第三計数動作から第一計数動作に自動的に移行する。
【０１０６】
第四計数動作は、駆動時間「簡易」であり、計数値の取り扱いを「破棄」とする動作モードである。第四計数動作により計数を行った結果、メダルが検知されたならば、第四計数動作から第二計数動作に自動的に移行する。
【０１０７】
次に上記４つの計数動作の開始タイミングについて詳細に説明する。図９は、４つの計数動作の開始タイミングを説明するための説明図である。図９に示すように、営業時間中にメダル投入口１９ａに対するメダルの投入を検知又は計数ボタンが押下された場合には第一計数動作でメダルを計数する。同様に、営業時間中に計数ボタンが押下された場合には第一計数動作でメダルを計数する。
【０１０８】
また、閉店後の試し打ちでメダル投入口１９ａにメダルが投入された場合には第二計数動作でメダルを計数する。試し打ちの場合には、遊技機２０の動作確認等を目的に行うものであり、メダルの計数値は不要となる。
【０１０９】
また、閉店から開店若しくはテストモードへ移行する信号を受信した場合には第二計数動作でメダルを計数する。開店若しくはテストモードへの移行の場合には、開店又はテストに備えて計数ユニット１９内に残留するメダルを確実に排除する必要があるため、駆動時間「通常」の第二計数動作を用いる。
【０１１０】
営業時間中に所定の操作を受け付けた場合と、システムモードの変化に関する信号を受信した場合には、第三計数動作によりメダルを計数する。具体的には、カードの返却操作を受け付けた時と、持メダルの分割操作を受け付けた時と、携帯端末を用いた貯メダル操作を受け付けた時と、入金を受け付けた時には第三計数動作によりメダルを計数する。また一般カードのプリペイド価値の残高が０あるいは遊技媒体の払い出しが不可となった場合には第三計数動作によりメダルを計数する。また、計数に関わるエラーが解除された時と、計数値のクリアを指示する計数クリアコマンドの受信時には第三計数動作によりメダルを計数する。また、営業時間中に台間メダル貸機１０の電源オフ・オンが行われた場合には第三計数動作によりメダルを計数する。
【０１１１】
カードの返却及び持メダル分割時は、カードＩＤ１６ａに持メダル口座の残高を関連付けるため、計数ユニット１９内の残留メダルがある場合にはその計数結果を持メダル口座に加算する必要があるが、残留メダルがないにも関わらず計数に時間がかかるとカード返却が遅れるため、第三計数動作を用いる。また、携帯端末を用いた貯メダル操作の場合も携帯端末を台間メダル貸機のかざし部１４ｂにかざして、メダル数の関連付けを行うために、計数に時間を要するのは不適切であることから、第三計数動作を用いることとしている。入金を受け付けた場合にも、入金の未確定状態を短時間とするために第三計数動作を用いている。この計数により計数結果が一定数以上となった場合には、無用な紙幣の消費を防ぐため、持メダルの使用を促し、紙幣を返却する。計数結果が一定数未満であれば、計数結果を持メダル残高に加算して入金を確定する。
【０１１２】
一般カードのプリペイド価値の残高が０あるいは遊技媒体の払い出しが不可となった場合には、遊技客が離席する可能性があるため、玉貸操作又は持メダル再プレイ操作を受け付けてプリペイド価値及び持メダル口座の残高が全て「０」となった時点で第三計数動作を行う。
【０１１３】
計数に関わるエラーが解除された場合には、解除指示信号を受信した時点を第三計数動作の開始タイミングとする。計数途中でエラーが発生した場合など、持メダル口座に加算すべき残留メダルが存在する可能性があるためである。
【０１１４】
計数クリアコマンドとは、開店前にシステムが起動されている状態で、遊技店の集計情報の保護を行うためのコマンドである。台間メダル貸機１０は、この計数クリアコマンドを受信したタイミングで第三計数動作による計数を行って、計数結果を上位装置に送信する。この結果、台間メダル貸機１０の計数ユニット１９に残留メダルしたメダルは取り除かれる。また、上位装置では計数クリアコマンドに基づく計数結果を受信し、遊技店の集計情報に加えることができるので、台間メダル貸機１０内に残留したメダルにより集計結果が不整合となることを防止できる。なお、台間メダル貸機１０は、計数クリアコマンドに基づく計数結果を上位装置に送信した後、計数結果を破棄し、持メダル口座の残高を「０」にクリアする。
【０１１５】
開店あるいはテストモードから閉店モードへ変化する場合には、システムモード変更指示信号を受信した時点で第三計数動作による計数を開始する。この計数結果も上位装置に送信され、遊技店内のメダルの集計情報に加えられる。なお、テストモードとはシステム全体でテストを行うものであり、テストモードへ移行する段階で、第二計数動作により残留メダルの計数が行われ、計数値が破棄されて初期化される。このため、テストモードから閉店モードへ移行する段階で第三計数動作を行うことにより、テストモード中の計数が正確に行われたかを確認することが可能となる。
【０１１６】
営業中に台間メダル貸機１０の電源オフ・オンを行われた場合には、電源オフ状態からオンになり、台間メダル貸機１０として起動準備が完了してＲＥＡＤＹ信号等を状態管理部１７ｄが検知した時点を第三計数動作の開始タイミングとする。この場合には、電源オフが行われる前に遊技客が投入したメダルが残留している可能性があるため、計数結果は持メダル口座の残高へ加算する。
【０１１７】
第四計数動作は、閉店中に台間メダル貸機１０の電源オフ・オンが行われた場合に用いる。この場合には、営業中の電源オフ・オンと同様、ＲＥＡＤＹ信号等を状態管理部１７ｄが検知した時点が第四計数動作の開始タイミングとなる。なお、この場合には、閉店モード移行の段階で店のメダルの集計は終了しており、遊技客もいないので、残留メダルを排除するための動作として用いられる。このため、計数結果は破棄する。
【０１１８】
次に、台間メダル貸機１０によるメダルの計数処理手順について説明する。図１０は、台間メダル貸機１０のメダル計数処理手順を説明するためのフローチャートである。台間メダル貸機１０の状態管理部１７ｄは、閉店から開店モードへ移行する信号を受信したならば（ステップＳ１０１；Ｙｅｓ）、計数制御部１７ｅに対して第二計数動作を行うように指示する。計数制御部１７ｅは、第二計数動作を行い、計数ユニット１９を駆動させ、残留するメダルの計数を行い、メダルがあった場合には計数値を破棄する（ステップＳ１０２）。開店モードへ移行する信号を受信しない場合には（ステップＳ１０１；Ｎｏ）、待機状態を維持する。
【０１１９】
ステップＳ１０２の後、状態管理部１７ｄは、計数クリアコマンドを受信したか否かを判定する（ステップＳ１０３）。状態管理部１７ｄは、計数クリアコマンドを受信した場合には（ステップＳ１０３；Ｙｅｓ）、計数制御部１７ｅに対して第三計数動作を行うように指示する。計数制御部１７ｅは、計数ユニット１９を駆動し、第三計数動作を行い、残留メダルがあった場合には計数結果を上位装置に送信し、その後、計数結果をゼロクリアする（ステップＳ１０４）。
【０１２０】
ステップＳ１０４の後、若しくは計数クリアコマンドを受信していない場合には（ステップＳ１０３；Ｎｏ）、台間メダル貸機１０は、営業時間中メダル計数処理を行う（ステップＳ１０５）。この営業時間中メダル計数処理の詳細については後述する。
【０１２１】
ステップＳ１０５の後、状態管理部１７ｄは、開店から閉店へ移行する信号を受信したか否かを判定する（ステップＳ１０６）。閉店へ移行する信号を受信しない場合には（ステップＳ１０６；Ｎｏ）、状態管理部１７ｄは、計数制御部１７ｅに対して営業中のメダル計数処理を継続させる。
【０１２２】
開店から閉店へ移行する信号を受信した場合には（ステップＳ１０６；Ｙｅｓ）、状態管理部１７ｄは、閉店処理を実行し（ステップＳ１０７）、処理を終了する。閉店処理の中では計数も行うが、その詳細については後述する。
【０１２３】
次に、営業時間中メダル計数処理について説明する。図１１は、図１０に示したフローチャートの営業時間中メダル計数処理の処理手順を示したフローチャートである。
【０１２４】
計数制御部１７ｅは、メダルの投入又は計数ボタンの押下を検知した場合には（ステップＳ２０１；Ｙｅｓ）、計数ユニット１９を駆動させ、第一計数動作により投入されたメダルの計数を行い、持メダル口座の残高に加算する（ステップＳ２０２）。メダルの投入又は計数ボタンの押下の受け付けがなかった場合には（ステップＳ２０１；Ｎｏ）、ステップＳ２０３に移行する。
【０１２５】
ステップＳ２０３では、計数制御部１７ｅは、カード返却、持メダル分割、携帯端末による貯メダル操作のいずれかを受け付けたか否かを判定する。カード返却、持メダル分割、携帯端末による貯メダル操作のいずれかを受け付けた場合には（ステップＳ２０３；Ｙｅｓ）、計数制御部１７ｅは、計数ユニット１９を駆動し、第三計数動作を行い、メダルを計数した場合には持メダル口座の残高に加算させて（ステップＳ２１２）、処理を終了する。いずれの操作も受け付けていない場合には（ステップＳ２０３；Ｎｏ）、紙幣の挿入を検知したかどうかを判定する（ステップＳ２０４）。
【０１２６】
紙幣の挿入を検知した場合には（ステップＳ２０４；Ｙｅｓ）、紙幣処理部１７ｂは、入金確定前に、計数制御部１７ｅに対して第三計数動作を行わせる（ステップＳ２０５）。その結果、一定数以上のメダルがあった場合には（ステップＳ２０６；Ｙｅｓ）、紙幣処理部１７ｂは紙幣を返却して（ステップＳ２０７）、ステップＳ２０９に移行する。
【０１２７】
ステップＳ２０５で計数したメダルが一定数に満たない場合には（ステップＳ２０６；Ｎｏ）、計数制御部１７ｅは、計数結果を持メダル口座の残高に加算するとともに、データ管理部１７ａは、紙幣の額面に応じて有価価値データ１６ｂのプリペイド価値を加算して（ステップＳ２０８）、ステップＳ２０９に移行する。紙幣の受け付けがない場合には（ステップＳ２０４；Ｎｏ）、ステップＳ２０９に移行する。
【０１２８】
ステップＳ２０９では、データ管理部１７ａは、一般カードのプリペイド価値及び持メダル口座残高が全て「０」となったかを判定する。一般カードのプリペイド価値及び持メダル口座残高が全て「０」となったならば（ステップＳ２０９；Ｙｅｓ）、データ管理部１７ａは、計数制御部１７ｅに対して第三計数動作を行わせ、メダルがある場合には持メダル口座の残高に加算させて（ステップＳ２１２）、処理を終了する。一般カードではなく会員カードである場合、若しくはプリペイド価値又は持メダル口座の残高が「０」でない場合（ステップＳ２０９；Ｎｏ）、計数に関わるエラーの解除の指示を受信したか否かを判定する（ステップＳ２１０）。
【０１２９】
計数に関わるエラーの解除の指示を受信した場合には（ステップＳ２１０；Ｙｅｓ）、計数制御部１７ｅは、第三計数動作を行い、メダルを検知した場合には計数結果を持メダル口座の残高に加算させて（ステップＳ２１２）、処理を終了する。計数に関わるエラーの解除の指示を受信していない場合には（ステップＳ２１０；Ｎｏ）、状態管理部１７ｄは、台間メダル貸機１０が電源オフ状態から電源オンの起動状態になったかどうかを判定する（ステップＳ２１１）。
【０１３０】
状態管理部１７ｄは、台間メダル貸機１０の電源投入による起動を検知した場合には（ステップＳ２１１；Ｙｅｓ）、計数制御部１７ｅに対して第三計数動作を行わせ、メダルを計数した場合には、持メダル残高に加算させて（ステップＳ２１２）、処理を終了する。従業員により台間メダル貸機１０の電源オフ・オンが行われない場合には（ステップＳ２１１；Ｎｏ）、処理を終了する。
【０１３１】
次に、閉店処理時の計数処理について説明する。図１２は、図１０のフローチャートで示した閉店処理における計数処理の処理手順を示したフローチャートである。
【０１３２】
状態管理部１７ｄは開店モードから閉店モードへの移行に伴い、計数制御部１７ｅに対して第三計数動作を行わせ、計数結果のカード管理装置４０への送信を計数データ送信部１７ｆに行わせる（ステップＳ３０１）。
【０１３３】
ステップＳ３０１の後、状態管理部１７ｄは、閉店モードからテストモードに変化する信号を受信したか否かを判定する（ステップＳ３０２）。状態管理部１７ｄは、閉店モードからテストモードに変化する信号を受信していない場合には（ステップＳ３０２；Ｎｏ）、ステップＳ３０７に移行する。一方、閉店モードからテストモードに変化する信号を受信した場合には（ステップＳ３０２；Ｙｅｓ）、状態管理部１７ｄは、計数制御部１７ｅに対して第二計数動作を行わせ、計数結果を破棄させる（ステップＳ３０３）。その後、テストモードにおける所定の動作チェックを行う（ステップＳ３０４）。
【０１３４】
ステップＳ３０４の後、状態管理部１７ｄは、テストモードから閉店モードへの変更を指示するシステムモード変更指示信号を受信したか否かを判定する（ステップＳ３０５）。テストモードから閉店モードへの変更を指示するシステムモード変更指示信号を受信していなければ（ステップＳ３０５；Ｎｏ）、ステップＳ３０４に移行する。一方、テストモードから閉店モードへの変更を指示するシステムモード変更指示信号を受信したならば（ステップＳ３０５；Ｙｅｓ）、計数制御部１７ｅに対して第三計数動作を行わせ、計数結果のカード管理装置４０への送信を計数データ送信部１７ｆに実行させる（ステップＳ３０６）。
【０１３５】
ステップＳ３０６の後、若しくは閉店モードからテストモードに変化する信号を受信しない場合に（ステップＳ３０２；Ｎｏ）、状態管理部１７ｄは、台間メダル貸機１０の電源オフ及びオンによる再起動が行われたか否かを判定する（ステップＳ３０７）。状態管理部１７ｄは、台間メダル貸機１０の電源投入による起動を検知した場合には（ステップＳ３０７；Ｙｅｓ）、計数制御部１７ｅに対して第四計数動作を行わせ、計数結果を破棄する（ステップＳ３０８）。
【０１３６】
ステップＳ３０８の後、若しくは台間メダル貸機１０の電源オフ及びオンによる再起動が行われていない場合に（ステップＳ３０７；Ｎｏ）、計数制御部１７ｅは、試し打ちによるメダルの投入が行われたか否かを判定する（ステップＳ３０９）。メダルの投入を検知した場合には（ステップＳ３０９；Ｙｅｓ）、第二計数動作を行い、計数結果を破棄する（ステップＳ３１０）。
【０１３７】
ステップＳ３１０の後、若しくはメダルの投入を検知していない場合（ステップＳ３０９；Ｎｏ）、状態管理部１７ｄは、閉店指示の信号を受信したか否かを判定する（ステップＳ３１１）。閉店指示の信号を受信してしない場合には（ステップＳ３１１；Ｎｏ）、Ｓ３０２に移行する。閉店指示の信号を受信した場合には（ステップＳ３１１；Ｙｅｓ）、台間メダル貸機１０の電源オフ待機となって、処理を終了する。
【０１３８】
上述したように、本実施例では、メダル計数を求める操作を受け付けた場合以外でも、所定の条件が成立した場合には計数ユニット１９を駆動させ、計数ユニット１９内に残留した可能性のあるメダルを計数し、遊技客の持メダル口座の残高に加算するように構成した。このため、カード返却を伴う操作を受け付けた場合や一般カードのプリペイド価値及び持メダル口座の残高が全て０になった場合のように、遊技客が計数ユニット１９内に残留したメダルに気付かずに離席する可能性がある場合であっても、その残留メダルを計数して持メダル口座の残高に加算し、遊技客が損失を被ることを防止できる。
【０１３９】
また、本実施例では、開店、閉店及びテストモード等遊技システムのモード変化時にも計数動作を行い、メダルの計数あるいは破棄を行うことによって、遊技店にとって、メダルの集計情報を保護するとともに、メダルの集計の正確性を期すことができる。
【０１４０】
なお、本実施例では、一定数以上の残留メダルを計数した場合に、挿入した紙幣を返却するとしたが、遊技客に持メダルへの加算か、紙幣の返却（残留メダルの使用）かを選択させるようにしてもよい。
【０１４１】
また、本実施例では詳細には説明しなかったが、メダルの集計誤差が大きい場合に計数機構を駆動させて、計数ユニット１９内に残留メダルの有無を確認し、集計誤差の原因を調べることもできる。計数動作を行っても集計誤差に変化がない場合には持ち出しの可能性が考えられるからである。なお、この場合には、台間メダル貸機１０は第三計数動作を選択し、残留メダルの計数結果を持メダル残高に加算する。
【０１４２】
なお、本実施例では、持メダルに加算すべきでないメダルの計数値については台間メダル貸機１０で破棄する構成を例示したが、このメダルの計数値をカード管理装置４０に通知するように構成してもよい。この場合、カード管理装置４０は、通知されたメダルの計数値を持メダル数とは別に管理してもよいし、カード管理装置４０でクリアしてもよい。
【０１４３】
また、本実施例の計数動作とは、回転円盤１９ｄの駆動動作のことである。すなわち、計数するとは記載しているが全て計数する必要はない。もちろん、全て計数処理してもかまわない。
【０１４４】
本実施例では、ホッパ式の回転機構を利用したメダル計数ユニット１９を搭載した台間メダル貸機１０について本発明を適用した場合について説明したが、変形例として、ベルト駆動式の計数機構を搭載した台間メダル貸機１０においても適用が可能である。
【０１４５】
図１３は、台間メダル貸機１０に搭載されたベルト駆動式の計数機構を利用した計数ユニット１１９の断面構成図を示した図である。図１３に示すように、計数ユニット１１９は、３つのローラとベルトを有する第１搬送機構１２０と、２つのプーリと搬送ベルトを有する第２搬送機構１２１と、メダル通路１１９ｂと、２つの検知センサ１１９ｃ、１１９ｄとを有する。
【０１４６】
計数ユニット１１９の計数機構の概要について説明する。投入口１９ａから投入されたメダルは第１搬送機構１２０に積層状態で貯留される。そして第１搬送機構１２０によってメダルは１層１列状態にされ、第２搬送機構１２１に送られる。第２搬送機構１２１はメダルをメダル通路１１９ｂ上の後方のメダル回収部まで搬送する。搬送されたメダルは、メダル通路１１９ｂの途中にある２つの検知センサ１１９ｃ及び１１９ｄにより、メダルの真贋判定と、偽メダルと判定されたメダルを除いた正規メダルのみ計数が行われる。
【０１４７】
ベルト駆動式の計数ユニット１１９の場合には、実施例の計数動作である回転円盤１９ｄの駆動動作に相当するのはベルトの駆動動作になる。また、ホッパ回転式の計数ユニット１９のように、回転円盤１９ｄ上のメダルの存在を検出した後に回転円盤１９ｄを駆動させて、回転円盤１９ｄから出るメダルを計数センサにより計数する機構とは異なる。このため、ベルト駆動式の計数ユニット１１９の場合には、計数動作モードは、その構成及び計数動作に応じて、実施例の４つの計数動作モードのうち、適合するモードを選択するようにしてもよい。
【０１４８】
また、本実施例及び変形例では、遊技媒体数を関連づける媒体であるカードの形態についての詳細な説明を省略したが、かかるカードには、磁気カード、ＩＣカード等が含まれる。また、ここでは説明の便宜上「カード」を例にとって説明したが、かかるカード以外に、チップ、スティック、携帯端末等を用いる場合に本発明を適用することもできる。特に、ＩＣチップ付携帯端末を媒体として用いる場合は、当該携帯端末のＩＣチップから非接触にて取得可能な識別情報を用いて携帯端末を一意に識別できるため、当該識別情報に関連付けて遊技媒体数を管理することができる。
【０１４９】
また、本実施例及び変形例では、メダルを遊技媒体として用いる遊技機に併設される各台装置を例に説明を行った。しかし、本発明はこれに限定されるものではなく、球状の遊技媒体（遊技玉）を遊技媒体として用いる遊技機に併設される各台装置に適用してもよい。
【０１５０】
また、図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。例えば、カード管理装置４０と会員管理装置５０は一体となっていてもよい。また、台間メダル貸機１０にカード挿入時、プリペイド価値、持メダル数及び貯メダル数が記憶される場所は特に限定されない。
【産業上の利用可能性】
【０１５１】
以上のように、本発明に係る各台装置及び各台装置制御方法は、各台装置に未計数の遊技媒体が残留することを防止する場合に適している。
【符号の説明】
【０１５２】
１０    台間メダル貸機
１１    状態表示部
１２    紙幣搬送部
１２ａ  紙幣挿入口
１３    表示操作部
１４    リーダライタ
１４ａ  カード挿入口
１４ｂ  かざし部
１５    通信部
１６    記憶部
１６ａ  カードＩＤ
１６ｂ  有価価値データ
１６ｃ  計数データ
１６ｄ  装置ＩＤ
１７    制御部
１７ａ  データ管理部
１７ｂ  紙幣処理部
１７ｃ  カード処理部
１７ｄ  状態管理部
１７ｅ  計数制御部
１７ｆ  計数データ送信部
１８    ノズルユニット
１８ａ  ノズル
１９、１１９  計数ユニット
１９ａ  メダル投入口
１９ｂ  搬送部
１９ｂ１  （搬送部）底面
１９ｃ  メダル計数用ホッパ
１９ｃ１  傾斜部
１９ｃ２  開口
１９ｄ  回転円盤
１９ｄ１  孔部
１９ｅ  第１のメダル検知センサ
１９ｆ  第２のメダル検知センサ
２０    遊技機
２１    ドラム部
２２    表示部
２３    メダル投入口
２４    操作部
２５    受け皿
３０    島コントローラ
４０    カード管理装置
５０    会員管理装置
６０    景品管理装置
８０    精算機
９０    メダル払出装置
９１    メダル払出ホッパ
１１９ｂ  メダル通路
１１９ｃ、１１９ｄ  検知センサ
１２０  第１搬送機構
１２１  第２搬送機構
【図１】
2015107175.tif 000003
【図２】
2015107175.tif 000004
【図３】
2015107175.tif 000005
【図４】
2015107175.tif 000006
【図５】
2015107175.tif 000007
【図６】
2015107175.tif 000008
【図７】
2015107175.tif 000009
【図８】
2015107175.tif 000010
【図９】
2015107175.tif 000011
【図１０】
2015107175.tif 000012
【図１１】
2015107175.tif 000013
【図１２】
2015107175.tif 000014
【図１３】
2015107175.tif 000015